(57)【要約】【課題】複雑な演算を行うことなく複製された光回折構造の特徴を把握し、光回折構造の真贋を判別する光回折構造の真贋判別装置、および、この装置を使用した光回折構造の真贋判別方法を提供する。【解決手段】平坦なシートに形成された光回折構造の真贋を判別するための装置であって、少なくとも、光回折構造の青色要素と赤色要素を取得するために、帯状の青色光源と帯状の赤色光源とが互いに平行になるように組み込まれた投光部と、帯状の光センサーが前記投光部に平行に組み込まれた受光部と、前記受光部から取得した受光情報によって光回折構造の真贋を判別する判別回路と、判別の結果を告知する告知部と、を備えた真贋判別装置を提供する。【選択図】  図１
2009087246.tif 000002
【特許請求の範囲】
【請求項１】
平坦なシートに形成された光回折構造の真贋を判別するための装置であって、少なくとも、
光回折構造の青色要素と赤色要素を取得するために、帯状の青色光源と帯状の赤色光源とが互いに平行になるように組み込まれた投光部と、
帯状の光センサーが前記投光部に平行に組み込まれた受光部と、
前記受光部から取得した受光情報によって光回折構造の真贋を判別する判別回路と、
判別の結果を告知する告知部と、
を備えたことを特徴とする光回折構造の真贋判別装置。
【請求項２】
平坦なシートに形成された光回折構造の真贋を判別するための装置であって、少なくとも、
光回折構造の青色要素と赤色要素を取得するために、帯状の白色光源による投光部と、
帯状の赤色センサーと帯状の青色センサーが前記投光部に平行に組み込まれた受光部と、
前記受光部から取得した受光情報によって光回折構造の真贋を判別する判別回路と、
判別の結果を告知する告知部と、
を備えたことを特徴とする光回折構造の真贋判別装置。
【請求項３】
請求項１、２何れか一項に記載の光回折構造の真贋判別装置において、
帯状の光源は、発光ダイオード，キセノン，レーザーの何れか一つが組み込まれた光源であることを特徴とする光回折構造の真贋判別装置。
【請求項４】
請求項１〜３何れか一項に記載の光回折構造の真贋判別装置を使用して平坦なシートに形成された光回折構造の真贋を判別する方法であって、少なくとも、
真贋情報取得用の装置に光回折構造を装着して光回折構造のオリジナル情報を取得するステップと、複数の光回折構造の真贋判別装置に前記光回折構造のオリジナル情報を登録するステップと、
真贋判定用の光回折構造が形成された対象部位から光回折構造情報を採取するステップと、採取された真贋判定用の光回折構造情報と前記登録された光回折構造のオリジナル情報とを比較するステップと、前記比較の結果を光、音声、文字表示の何れかまたはこれらの組み合わせによって告知する判別結果告知ステップと、からなることを特徴とする光回折構造の真贋判別方法。
【請求項５】
請求項４に記載の光回折構造の真贋判別方法において、
光回折構造の真贋を判別する方法は、採取された真贋判定用の光回折構造情報の青色，赤色何れかの要素情報、または、青色，赤色両方の要素情報によって判別することを特徴とする光回折構造の真贋判別方法。
【発明の詳細な説明】
【技術分野】
【０００１】
本発明は、印刷物などの一部に形成された光回折構造の真贋を判別するための光回折構造の真贋判別装置、および、この装置を使用した光回折構造の真贋判別方法に関する。
【背景技術】
【０００２】
ホログラムや回折格子などの光回折構造は、特殊な装飾像や立体像を表現できることから、意匠性を高めた印刷物等に利用されている。また、製造のために高度な技術を要することから、偽造防止手段として利用されている。
意匠性を高める手段としては、高額な商品の包装材，パンフレット，ＰＯＰ，書籍の表紙等に、偽造防止手段としては、例えば、クレジットカード，ＩＤカード等のカード類や、商品券，小切手，手形，株券，入場券等の金券類，各種証明書等に使用されている。
【０００３】
ホログラムや回折格子などの光回折構造を作成する方法として、被写体にレーザ光と参照光を照射し、感光材に干渉縞を形成させる方法や、電子線描画による方法がある。
また、ホログラムや回折格子などの光回折構造を媒体上に形成する方法として、熱転写によって形成する方法や、ラベルにして貼付する方法がある。
熱転写による方法は、平坦な貼付面を有する前述のカード類，金券類に多く利用され、ラベルによる方法は、貼付される対象物が平坦な面を持たない場合等に利用される。
【０００４】
一方、媒体上に複製された光回折構造を検査する装置や方法が提案されている。
上記装置や方法の多くは、複製された光回折構造をＣＣＤカメラ等の撮像装置を用いて光回折構造情報として取り込み、画像解析を行って検査する装置や方法である。
これらの装置や方法のなかに、ホログラムを構成する微細な回折格子の形状，構造を電気的に、定量的に検査するホログラム検査装置及び方法が提供されている（例えば、特許文献１参照）。
【０００５】
【特許文献１】特開平９−５２０９号公報
【発明の開示】
【発明が解決しようとする課題】
【０００６】
特許文献１に開示されている技術は、所定の波長成分を含む光線を放射する光源部と、前記波長成分に対し感度を有する光センサと、検査対象のホログラムに対し前記光源部および光センサを配置する保持部と、前記光センサの出力に基づき前記ホログラムを構成する回折格子パターンの検査特性値を演算する演算手段とを備えるホログラム検査装置であって、前記光源部は、その光線が前記ホログラムの所望領域を照射するように配置され、前記光センサは、前記ホログラムの所望領域に含まれる回折格子パターンにより回折された回折光を受光するように配置され、前記演算手段は光センサの出力に基づいて回折光の回折角度および強度から回折格子パターンの格子ピッチ，格子方向および回折効率の少なくともいずれか１つを表わす検査特性値を演算するホログラム検査装置である。
【０００７】
特許文献１に開示されている技術は、ホログラム検査装置の光センサの出力から回折光の回折角度および強度から回折格子パターンの格子ピッチ，格子方向および回折効率の少なくともいずれか１つを表わす検査特性値を演算することによって複製されたホログラムを検査する検査装置である。
そこで本発明は、特許文献１に開示されている技術のように複雑な演算を行うことなく複製された光回折構造の特徴を把握し、光回折構造の真贋を判別する光回折構造の真贋判別装置、および、この装置を使用した光回折構造の真贋判別方法を提供することを目的とするものである。
【課題を解決するための手段】
【０００８】
前記課題の目的を達成するために、本発明の光回折構造の真贋判別装置の第一の態様は、平坦なシートに形成された光回折構造の真贋を判別するための装置であって、少なくとも、光回折構造の青色要素と赤色要素を取得するために、帯状の青色光源と帯状の赤色光源とが互いに平行になるように組み込まれた投光部と、帯状の光センサーが前記投光部に平行に組み込まれた受光部と、前記受光部から取得した受光情報によって光回折構造の真贋を判別する判別回路と、判別の結果を告知する告知部と、を備えたことを特徴とするものである。
【０００９】
また、本発明の光回折構造の真贋判別装置の第二の態様は、平坦なシートに形成された光回折構造の真贋を判別するための装置であって、少なくとも、光回折構造の青色要素と赤色要素を取得するために、帯状の白色光源による投光部と、帯状の赤色センサーと帯状の青色センサーが前記投光部に平行に組み込まれた受光部と、前記受光部から取得した受光情報によって光回折構造の真贋を判別する判別回路と、判別の結果を告知する告知部と、を備えたことを特徴とするものである。
【００１０】
また、第三の態様は、第一，第二、何れかの態様において、帯状の光源は、発光ダイオード，キセノン，レーザーの何れか一つが組み込まれた光源であることを特徴とするものである。
【００１１】
また、第四の態様は、第一〜第三何れかの態様の光回折構造の真贋判別装置を使用して平坦なシートに形成された光回折構造の真贋を判別する方法であって、少なくとも、真贋情報取得用の装置に光回折構造を装着して光回折構造のオリジナル情報を取得するステップと、複数の光回折構造の真贋判別装置に前記光回折構造のオリジナル情報を登録するステップと、真贋判定用の光回折構造が形成された対象部位から光回折構造情報を採取するステップと、採取された真贋判定用の光回折構造情報と前記登録された光回折構造のオリジナル情報とを比較するステップと、前記比較の結果を光，音声，文字表示の何れかまたはこれらの組み合わせによって告知する判別結果告知ステップと、からなることを特徴とするものである。
【００１２】
また、第五の態様は、第四の態様において、光回折構造の真贋を判別する方法は、採取された真贋判定用の光回折構造情報の青色，赤色何れかの要素情報、または、青色，赤色両方の要素情報によって判別することを特徴とするものである。
【発明の効果】
【００１３】
本発明の光回折構造の真贋判別装置によって、光回折構造から反射される青色光，赤色光要素を、帯状の投光部と平行に配置された１次元光センサーによって検知し、所定の強さ（輝度）以上のスポットが所定の平面上のどの部分で何個発生するかによってその特徴を掴み、オリジナルのデータと照合し真贋を判別することができる。
青色，赤色何れか一色だけの要素情報で判別してもよいし、青色，赤色二色合せた要素情報で判別してもよい。光源に発光ダイオードを使用した場合は、装置全体がコンパクトになり安価に供給することができる。
また、対象物が異なる光回折構造付対象物でも、シートに形成された光回折構造が判別可能な大きさになっていて、光回折構造が真贋判別装置の１次元光センサーに近い位置に形成されていれば、光回折構造付きのオリジナルシートによって真正な情報を登録し、その情報と判別対象のシートの光回折構造を照合することによって真贋判別に使用することができ、判別対象物ごとに判別装置を準備する必要がなくなる。
【発明を実施するための最良の形態】
【００１４】
以下、図面を参照して、本発明の光回折構造の真贋判別装置、および、光回折構造の真贋判別方法について説明する。
図１は、本発明の光回折構造の真贋判別装置の一例について説明するための光回折構造の真贋判別装置の概念図，図２は、光回折構造付きシートの一例について説明するための図，図３は、光回折構造の一例について説明するための図，図４は、光回折構造の真贋判別装置の投光・受光部の一例について説明するための図，図５は、本発明の光回折構造の真贋判別方法の一例について説明するための図，図６は、本発明の光回折構造の真贋判別装置の１次元光センサーによって検知された光回折構造情報の一例について説明するための図，図７は、本発明の光回折構造の真贋判別装置の他の一例について説明するための光回折構造の真贋判別装置の概念図，である。
【００１５】
光回折構造という表現は、ホログラムや回折格子の上位概念による表現であるるが、以下の説明では電子線描画によって描画するモノクロ画像や、カラー画像による回折格子の例で説明する。
回折格子によるカラー画像は、三原色の色成分ごとに画素値をもった画素の集合として定義される。そして、原画の各部分領域の画素を三原色（Ｒ，Ｇ，Ｂ）の各色成分に分解し、８ビットで表現できる画素値（０〜２５５種）を適用させ、回折格子によるカラー画像として再現する。
例えば、画素パターンＲは波長６６０ｎｍ用、画素パターンＧは波長５５０ｎｍ用、画素パターンＢは波長４７０ｎｍ用として設定し、再生光を所定の位置に設置してそれぞれの画素パターンを観察したときに、これらの再生画像はカラー画像として視認される。
モノクロで表現する場合は、前述の波長の一つを適用すればよい。
【００１６】
微細な凹凸構造で表現された回折格子による画像は、原画の微細化された部分の輝度または反射濃度（以下、輝度値という）に対応した大きさの画素で表現される。
例えば、原画をスキャナのような装置によって電気的に走査し、ＣＣＤセンサなどによって輝度値を電気信号に変換して前述の微細画素に変換する。
即ち、原画の微細部分の輝度値を８ビットで表現する画素値に変換し、例えば、５μｍ程度の画素に変換させる。
【００１７】
光回折構造は、光回折構造が形成された樹脂膜だけが対象物に転写された状態で使用される場合と、光回折構造の樹脂膜が形成された基材ごとラベル化されて使用される場合がある。
光回折構造が転写された状態で使用される場合は、耐熱性を有する基材フィルム上に剥離層を形成し、その上に、例えば、熱硬化性の樹脂層を形成し、熱硬化性の樹脂層に凹凸構造を形成し、反射層を形成し、その上に感熱接着剤層を形成して転写用フィルムと成し、熱せられた金属の型等によって、接着剤層を含めた極めて薄い光回折構造形成層を紙などの印刷物上に転写して使用する。
光回折構造をラベル状態で使用する場合は、基材フィルム上に熱硬化性の樹脂層を形成し、熱硬化性の樹脂層に凹凸を形成し、凹凸の上に反射層を形成し、その上に粘着剤層を形成し、粘着剤面を剥離紙で被覆させ、基材フィルムを剥離紙と一緒に所定の大きさに打ち抜いてラベルとし、剥離紙を剥がして対象物に貼付して使用する。
【００１８】
前記反射層は、前述の光回折構造形成層の凹凸面に反射性を与えるために設けられる。反射層には、不透明な反射層と、透明性を有する反射層とがあるが、意匠効果を高める手段として使用する場合は、アルミニウムや、ニッケルなどの金属による不透明な反射層を形成する。
反射層を形成する方法としては、真空蒸着法，スパッタリング法，イオンブレーティング法等があり、目的によって使い分ける。
また、剥離層，熱硬化性樹脂層，接着剤層，粘着剤層等の形成手段として、グラビアコート，ダイコート，ナイフコート，ロールコート等の一般的なコーティング方法、および、シルクスクリーン等の印刷方法の中から選択して使用する。
【００１９】
図１を参照して、本発明の、光回折構造の真贋判別装置の一例について説明する。
図１に示す光回折構造の真贋判別装置の例は、真贋判別対象物を搬送部で移動させて真贋を判別させる装置の一例である。
本発明の光回折構造の真贋判別装置４は、平坦なシートに形成された光回折構造の青色要素と赤色要素を取得するために、帯状の青色光源と帯状の赤色光源とが互いに平行になるように組み込まれた投光部と、帯状の光センサーが前記投光部に平行に組み込まれた受光部とが組み込まれた投光・受光部３と、光回折構造部が形成された光回折構造部付きシート（以下、光回折構造部付きシートともいう）２を搬送する搬送部４２と、前記受光部から取得した受光情報によって光回折構造の真贋を判別する判別回路（図示せず）と、判別の結果を告知する告知部４１と、を少なくとも備えている。
【００２０】
前述の、投光・受光部３は、帯状の白色光源による投光部と、帯状の赤色センサーと青色センサーが前記投光部に平行に組み込まれた受光部とで構成されてもよい。
光回折構造の真贋判別装置の投光・受光部３は、真贋判別対象物が変わっても判別可能なように、図１の上下方向に位置を移動させて固定できるようにすることもできる。その場合、図示しないが、光回折構造の真贋判別装置の投光・受光部３のスライド方向に目盛りを付けて、真贋判別対象物と目盛りの関連を光回折構造の真贋判別装置の、所定の場所に記録しておけば便利に利用することができる。
【００２１】
また、前記投光部の光源は、発光ダイオード，キセノン，レーザーの何れであってもよく、それぞれが帯状に組み込まれた光源であればよい。
【００２２】
図１を参照して、本発明の光回折構造の真贋判別装置を使用した、光回折構造の真贋判別方法の一例について説明する。
まず、本発明の光回折構造の真贋判別装置４のガイド４３に、真贋判別対象物である光回折構造付きオリジナルシートを装着する。
光回折構造の真贋判別装置に表示された投光・受光部３のセンシング範囲（図示せず）が、光回折構造付きオリジナルシートに形成された光回折構造を位置的にカバーしていることを確認する。
搬送スイッチ（図示せず）を押して、光回折構造付きオリジナルシートを搬送部４２で矢印の方向に搬送し、シートに形成された光回折構造のオリジナル情報を装置の判別回路（図示せず）の記憶部に登録（記憶）する。フィールドで使用される装置全てに対して上記の登録作業を行う。
このステップは、光回折構造の真贋判別装置の「標準装置」を使用して光回折構造部のオリジナル情報を採取し、真贋判定のためフィールドで使用される装置の情報記憶部に書き込んで記憶させてもよい。
【００２３】
次に、真贋を判別する光回折構造付きシート２を光回折構造の真贋判別装置４に装着して矢印の方向に搬送し、投光・受光部３の受光部から光回折構造１の受光情報を採取（以下、取得ともいう）する。
取得された真贋判別用の光回折構造情報と前記登録された光回折構造のオリジナル情報とを前記判別回路（図示せず）で比較照合する。
前記真贋を比較した結果を告知部４１で告知する。告知部は、「真正であることを示す光の点燈」、または、「真正であることを示す音声による告知」、または、ディスプレー（図示せず）に「真正であることを示す文字表示」によって告知する。
前記告知方法は、前記「光の点燈」，「音声による告知」，「文字表示」の組み合わせによって行ってもよい。
前記、光回折構造の真贋の判別は、受光部によって取得された真贋判定用の光回折構造情報の青色，赤色何れかの要素情報、または、青色，赤色両方の要素情報によって行われる。
【００２４】
図２を参照して、光回折構造付きシートの一例について説明する。
図２に示す光回折構造付きシートの一例は、「商品券」の例であるが、この例に拘るものではなく、紙幣，小切手，手形，株券，高額な入場券等であってもよい。これらの光回折構造付きシートは、多くは基材として紙を使用し、サイズが略同じであるため本発明の光回折構造の真贋判別装置が共通に使用できる。また、装置の一部を変更することによって、各種証明書や、高額商品の下げ札、クレジットカードやＩＤカード等のカード類にも使用可能となる。
【００２５】
図２に示す例では、商品券２のおもて面の右下に光回折構造１が貼付されている例であるが、同一の発行者が発行する同一金種の商品券であれば、全て共通仕様になっている。
従って、光回折構造付きシートを光回折構造の真贋判別装置の所定の位置にセットし、光回折構造の真贋判別装置の投光・受光部で光回折構造の真贋を判別した場合、商品券２の光回折構造１から取得される赤色要素情報と、青色要素情報は、何れも同一の情報となり、オリジナル情報と比較することによって真贋を判別することができる。
【００２６】
図３を参照して、光回折構造の一例について説明する。
真贋判別用の光回折構造１の多くは、図３に示すように、同一領域に複数の図柄が組み合わされて描画されている。光回折構造１に所定の方向から白色光を当て、所定の角度で光回折構造１を観察したときに、例えば領域Ｒ１１からは赤色の光が反射され、領域Ｂ１２からは青色の光が反射される。図の領域Ｒ１１，領域Ｂ１２以外の部分でも同様赤色要素，青色要素の光が反射されている。また、観察角度を変えた場合は、領域Ｒ１１，領域Ｂ１２から発せられる光の色は異なった色で視認される。
前述の、投光・受光部の投光角度及び受光角度は固定であるために、同一種の真贋判別対象物であれば、図の領域Ｒ１１，領域Ｂ１２からは、共通に赤色要素，青色要素の光が反射され、受光部のセンサーからは共通の赤色要素情報，青色要素情報を取得することができる。図３では、説明し易いように領域Ｒ１１，領域Ｂ１２に便宜的に○印を付しているが、実際の光回折構造パターンには、○印は形成されていない。
【００２７】
前述の例でわかるように、図３の光回折構造１を左に移動させ、領域Ｒ１１が受光部の下を通過したときに，受光部の赤色センサーでは領域Ｒ１１の位置から高い輝度の反射光を取得し、青色センサーでは領域Ｂ１２の位置から高い輝度の反射光を取得する。受光部は帯状になっているために、光回折構造１のその他の位置からも同様、複数の高い輝度の反射光を取得している。帯状のセンサで読み取られた高い輝度の反射光の数と光回折構造１の座標位置を関連付けて登録されたオリジナル情報と照合することで、対象物の真贋を判別することができる。
また、受光部の位置を特定して、そこに配置されたセンサが取得した高い輝度の反射光の数で判別してもよい。
【００２８】
図４を参照して、光回折構造の真贋判別装置の投光・受光部の一例について説明する。
図４のａ図は、投光・受光部３の一例を示しており、前述のように、光回折構造の青色要素と赤色要素を取得するために、帯状の白色光源による投光部３１と、帯状の赤色センサーによる受光部３２１と帯状の青色センサーによる受光部３２２が前記投光部３１に平行に組み込まれた例である。
光源部を帯状にする理由は、例えば、商品券に形成された光回折構造によるパターンと、入場券に形成された光回折構造によるパターンが必ずしも同一ではないように、複数の対象を判別しなければならないからである。
帯状の光源として、発光ダイオード，キセノン，レーザーを帯状に組み込んで形成することができる。前述の、発光ダイオードの中には、青色発光ダイオードを蛍光体に照射して発光させる白色発光ダイオードがあり、受光部のセンサーは、通常の光センサーに青色、または、赤色フィルタを装着して青色センサー、または、赤色センサーとして使用することができる。
また、人造ルビーの単結晶にキセノンランプを照射して光源としたり、半導体レーザーや、液体レーザー，色素レーザーを光源として使用することもできる。
【００２９】
図４のｂ図は、投光・受光部３の他の一例を示しており、前述のように、帯状の赤色光源による投光部３１１と帯状の青色光源による投光部３１２、および、２つの投光部の間に受光部として帯状の光センサーがそれぞれ平行に組み込まれた例である。
帯状の光源として、例えば、赤色発光ダイオード（６６０ｎｍ）や、青色発光ダイオード（４７０ｎｍ）を帯状に組み込み、受光部として通常の光センサーを帯状にして投光部に平行に組み込む。
また、投光部に２波長発光ダイオード（青色４７０ｎｍ，赤色６６０ｎｍ）を使用することもできる。
【００３０】
図４のａ図に示すような投光・受光部３を使用して赤色要素，青色要素の両方で真贋を判別する場合は、真贋判別対象物を一回搬送するだけで判別することができるが、図４のｂ図に示すような投光・受光部３を使用する場合は、判別対象物を二回搬送して判別してもよい。
【００３１】
図５を参照して、光回折構造の真贋判別方法の一例について説明する。
光回折構造の真贋判別装置の搬送スイッチ（図示せず）をＯＮにして、真贋判別用の光回折構造付きシート２を矢印の方向に搬送し、投光・受光部３の投光部３１から光回折構造１に投光し、受光部３２１、または、受光部３２２で光回折構造１の赤色要素情報，青色要素情報を採取する。
図５に示す例は、図４のａ図に示す投光・受光部３を使用した例であるが、投光部３１の角度を変えて二回の操作で光回折構造１の赤色要素情報，青色要素情報を採取することもできる。
【００３２】
図７を参照して、本発明の光回折構造の真贋判別装置の他の一例について説明する。
図７に示す光回折構造の真贋判別装置の例は、真贋判別対象物の光回折構造の表面を投光・受光部３０を移動させて真贋を判別させる装置の一例である。
まず、ｄ図に示すように、真贋判別対象物５に貼付された光回折構造部２０の上に本発明の光回折構造の真贋判別装置４０を所定の向きに置き、レバー４３０を例えば右側に移動させて、レバー４３０に固定された投光・受光部３０によって光回折構造部２０の真贋を判別する。投光・受光部３０の詳細な構成は、図１で説明した内容に準拠している。
図示しないが、光回折構造の真贋判別装置４０は電源部を内蔵するか、外部から供給する仕様になっている。
【００３３】
ｃ図に示すように、真贋判別対象物に貼付された光回折構造部（図示せず）の上に本発明の光回折構造の真贋判別装置４０を設置し、レバー４３０を矢印のように移動させ、投光・受光部の受光部から光回折構造部の情報を採取する。光回折構造の真贋判別装置４０には、告知部４１０や電源ＯＮ／ＯＦＦ表示部４２０が組み込まれている。
光回折構造部の真贋の判別は、受光部によって取得された真贋判定用の光回折構造情報の青色，赤色何れかの要素情報、または、青色，赤色両方の要素情報によって行われる。
取得された真贋判別用の上記光回折構造情報は、図１で説明した判別回路で光回折構造のオリジナル情報と比較照合される。
前記真贋を比較した結果を告知部４１０で告知する。
告知手段は、図１で説明したように、「真正であることを示す光の点燈」、または、「真正であることを示す音声による告知」、または、ディスプレー（図示せず）に「真正であることを示す文字表示」等による。告知手段は、前記「光の点燈」，「音声による告知」，「文字表示」の組み合わせによって行うことができる。
【００３４】
図６を参照して、本発明の光回折構造の真贋判別装置の１次元光センサーによって検知された光回折構造情報の一例について説明する。
図６に示す波形は、光回折構造の真贋判別装置の搬送部によって光回折構造付きシートが搬送されて、光回折構造の真贋判別装置の帯状に組み込まれた投光・受光部が光回折構造１のＡ−Ａ部を読み取った波形を示している。
図３の、領域Ｒ１１，領域Ｂ１２の部分で輝度が最も高くなっている。
この一定以上高い輝度が発生した位置を、光回折構造が形成されている長方形の平面座標上に赤色・青色情報としてプロットし、登録されている光回折構造付きシートのオリジナル情報と照合することによって、判別対象物の真贋を判別する。
光回折構造の真贋判別装置が図７に示す投光・受光部が移動する型の装置であっても同様の方法で判別することができる。
【産業上の利用可能性】
【００３５】
クレジットカードやＩＤカード等のカード類，商品券や小切手、手形や株券、入場券等の金券類，各種証明書，高額商品の下げ札等に貼付または添付され、偽造防止手段として利用される。
【図面の簡単な説明】
【００３６】
【図１】本発明の光回折構造の真贋判別装置の一例について説明するための光回折構造の真贋判別装置の概念図である。
【図２】光回折構造付きシートの一例について説明するための図である。
【図３】光回折構造の一例について説明するための図である。
【図４】光回折構造の真贋判別装置の投光・受光部の一例について説明するための図である。
【図５】本発明の光回折構造の真贋判別方法の一例について説明するための図である。
【図６】本発明の光回折構造の真贋判別装置の１次元光センサーによって検知された光回折構造情報の一例について説明するための図である。
【図７】本発明の光回折構造の真贋判別装置の他の一例について説明するための光回折構造の真贋判別装置の概念図である。
【符号の説明】
【００３７】
１      光回折構造
２，２０  光回折構造付きシート，光回折構造部
３，３０  投光・受光部
４，４０  光回折構造の真贋判別装置
５      真贋判別対象物
１１    領域Ｒ
１２    領域Ｂ
３１，３１１，３１２  投光部
３２，３２１，３２２  受光部，１次元光センサー
４０    投光，受光部
４１，４１０  告知部
４２    搬送部
４３    ガイド
４２０  電源ＯＮ／ＯＦＦ表示部
４３０  レバー
【図１】
2009087246.tif 000003
【図２】
2009087246.tif 000004
【図３】
2009087246.tif 000005
【図４】
2009087246.tif 000006
【図５】
2009087246.tif 000007
【図６】
2009087246.tif 000008
【図７】
2009087246.tif 000009